【手続補正書】
【提出日】平成17年10月24日(2005.10.24)
【手続補正１】
【補正対象書類名】明細書
【補正対象項目名】特許請求の範囲
【補正方法】変更
【補正の内容】
【特許請求の範囲】
【請求項１】  第１および第２のオブジェクトを含むシミュレーション・モデルの表示を表示装置上に生成する方法であって、
該第１および第２のオブジェクトを識別する入力データをコンピュータシステムにおいて受信することと
複数の関係条件に対する関係データと、複数のグラフィカルリンク表現に対するグラフィカルリンク表現データとを該コンピュータシステムにおいて格納することであって、該複数のグラフィカルリンク表現の各々が該複数の関係条件の各々に関連する、ことと、
該第１および第２のオブジェクトのそれぞれの第１および第２のノード表現を該表示装置上に生成することと、
該第１のオブジェクトと該第２のオブジェクトの間の該複数の関係条件の選択された関係条件を表すために該複数のグラフィカルリンク表現からグラフィカルリンク表現のユーザ選択を決定することと、
該第１のオブジェクトと該第２のオブジェクトとの間の該複数の関係条件の該選択された関係条件を格納することと、
該第１のオブジェクトと該第２のオブジェクトとの間の該選択された関係条件を表すために、該選択されたグラフィカルリンク表現を該表示装置上に生成することと
を包む、方法。
【請求項２】  前記選択されたグラフィカルリンク表現の前記ユーザ選択を前記決定することが、前記第１のオブジェクトが前記第２のオブジェクトに影響を及ぼすことを表すグラフィカルリンク表現のユーザ選択を決定することを含む、請求項１に記載の方法。
【請求項３】  前記選択されたグラフィカルリンク表現の前記ユーザ選択を前記決定することが、パラメータ値に依存する影響を表すグラフィカルリンク表現のユーザ選択を決定することを含む、請求項２に記載の方法。
【請求項４】  前記パラメータ値が、前記第１のオブジェクトと前記第２のオブジェクトの間の前記選択された関係条件を記述しかつ前記選択されたグラフィカルリンク表現によって表現される、リンクオブジェクトに関連する値である、請求項３に記載の方法。
【請求項５】  前記パラメータ値が、前記第１または前記第２のオブジェクトのいずれかに関連する値である、請求項３に記載の方法。
【請求項６】  前記選択されたグラフィカルリンク表現の前記ユーザ選択を前記決定することが、
前記第１または第２のオブジェクトに関連するパラメータの全ての値と無関係であることと、
該第１のオブジェクトのパラメータの値に依存することと、
該第１および第２のオブジェクトのそれぞれのパラメータ値に依存することと
のうちの少なくとも１つである、該第２のオブジェクトへの該第１のオブジェクトの影響を表すグラフィカルリンク表現のユーザ選択を決定することを含む、請求項２に記載の方法。
【請求項７】  前記第１のオブジェクトが前記第２のオブジェクトに及ぼす影響のタイプを識別することを含む、請求項２に記載の方法。
【請求項８】  前記選択されたグラフィカルリンク表現の前記ユーザ選択を前記決定することが、前記第１のノードによって表現される前記第１のオブジェクトのインスタンスが前記第２のノードによって表現される前記第２のオブジェクトのインスタンスに変換されることを表すグラフィカルリンク表現のユーザ選択を決定することを含む、請求項１に記載の方法。
【請求項９】  前記選択されたグラフィカルリンク表現の前記ユーザ選択を前記決定することが、
前記第１または前記第２のオブジェクトに関連するパラメータの全ての値と無関係であることと、
該第１のオブジェクトのパラメータの値に依存することと、
該第１および第２のオブジェクトのパラメータの値に依存することと
のうちの少なくとも１つである、前記変換を表すグラフィカルリンク表現のユーザ選択を決定することを含む、請求項８に記載の方法。
【請求項１０】  前記第１のオブジェクトのインスタンスが前記第２のオブジェクトのインスタンスに変換される変換のタイプの識別を与えることを含む、請求項８に記載の方法。
【請求項１１】  前記第１のオブジェクトと前記第２のオブジェクトとの間の前記関係条件に対する第３のオブジェクトの影響を表す変更子表現のユーザ選択を決定することと、
該第１のオブジェクトと該第２のオブジェクトとの間の該関係条件に対する該第３のオブジェクトの該影響を表す該変更子表現を前記表示装置上に生成することとを含む、請求項１に記載の方法。
【請求項１２】  シミュレーション・モデルの表示における第１のオブジェクトと第２のオブジェクトとの間の関係条件を表すためにグラフィカルリンク表現を提示する方法であって、
該シミュレーション・モデル内のオブジェクト間の複数の関係条件の定義を記録することと、
複数のグラフィカルリンク表現を定義するために、該複数の関係条件の各関係条件へのそれぞれのグラフィカルリンク表現の割り当てを記録することと、
該シミュレーション・モデルの該第１のオブジェクトと該第２のオブジェクトとの間の選択された関係条件を定義するために、ユーザによる選択のために該複数のグラフィカルリンク表現を表示装置上に提示することとを含む、方法。
【請求項１３】  前記定義を前記記録することが、前記第２のオブジェクトに影響を及ぼす、前記第１のオブジェクトの定義を記録することを含む、請求項１２に記載の方法。
【請求項１４】  前記定義を前記記録することが、パラメータ値に依存する、影響の定義を記録することを含む、請求項１３に記載の方法。
【請求項１５】  前記定義を前記記録することが、前記第２のオブジェクトのインスタンスに変換される、前記第１のオブジェクトのインスタンスの定義を記録することを含む、請求項１２に記載の方法。
【請求項１６】  前記定義を前記記録することが、パラメータ値に依存する、前記変換の定義を記録することを含む、請求項１５に記載の方法。
【請求項１７】  前記第１のオブジェクトと前記第２のオブジェクトとの間の前記関係条件に対する第３オブジェクトの影響を表す変更子表現の定義を記録することと、該第１のオブジェクトと該第２のオブジェクトとの間の該関係条件に対する該第３のオブジェクトの影響を表すために、ユーザによる選択のために前記表示装置上で該変更子表現を提示することとを含む、請求項１２に記載の方法。
【請求項１８】  命令を格納するコンピュータ可読媒体であって、該命令がプロセッサによって実行されたときにおいて、
第１および第２のオブジェクトのそれぞれの第１および第２のノード表現を表示装置上に生成するステップと、
該第１のオブジェクトと該第２のオブジェクトとの間の選択された関係条件を表すために、ユーザによる選択のための複数のグラフィカルリンク表現を提示するステップであって、該複数のグラフィカル表現の各々は異なる関係条件に関連する、ステップと、
該第１のオブジェクトと該第２のオブジェクトとの間の該選択された関係条件を表すために、選択されたグラフィカルリンク表現を表示するステップと
を該プロセッサに行わせる、コンピュータ可読媒体。
【請求項１９】  命令のシーケンスを格納するコンピュータ可読媒体であって、該命令がプロセッサによって実行されたときにおいて、
該シミュレーション・モデル内のオブジェクト間の複数の潜在的関係条件を識別するステップと、
複数のグラフィカルリンク表現を定義するために、該複数の潜在的関係条件の各関係条件に対するそれぞれのグラフィカルリンク表現の割り当てを記録するステップと、
該シミュレーション・モデルの第１のオブジェクトと第２のオブジェクトとの間の選択された関係条件を定義するために、ユーザによる選択のために該複数のグラフィカルリンク表現を表示装置上に提示するステップと
を該プロセッサに行わせる、コンピュータ可読媒体。
【請求項２０】  第１のオブジェクトと第２のオブジェクトとを含むシミュレーション・モデルの表示を表示装置上に生成する論理であって、
該第１のオブジェクトと該第２のオブジェクトとの間の選択された関係条件を表すために複数のグラフィカルリンク表現からのグラフィカルリンク表現のユーザ選択を決定するコア論理であって、該複数のグラフィカルリンク表現の各グラフィカルリンク表現が、異なる関係条件に関連する、コア論理と、
該第１および第２のオブジェクトのそれぞれの第１および第２のノード表現を該表示装置上に表示し、かつ、該第１のオブジェクトと該第２のオブジェクトとの間の該選択された関係条件を表すために該選択されたグラフィカルリンク表現を表示する表示論理と
を含む、論理。
【請求項２１】  前記コア論理が、前記第１のオブジェクトが前記第２のオブジェクトに影響を及ぼすことを表すグラフィカルリンク表現のユーザ選択を決定する、請求項２０に記載の論理。
【請求項２２】  前記コア論理が、前記第１のノードによって表現される前記第１のオブジェクトのインスタンスが前記第２のノードによって表現される前記第２のオブジェクトのインスタンスに変換されることを表す図示リンク表現のユーザ選択を決定する、請求項２０に記載の論理。
【請求項２３】  前記コア論理が、一定関係条件、比例関係条件および相互作用関係条件からなるグループから選択される、前記第１のオブジェクトと前記第２のオブジェクトとの間の関係条件を表すグラフィカルリンク表現のユーザ選択を決定する、請求項２０に記載の論理。
【請求項２４】  シミュレーション・モデルの表示において第１のオブジェクトと第２のオブジェクトとの間の関係条件を表すためにグラフィカルリンク表現の集合を表示装置上に提示する論理であって、
該シミュレーション・モデル内のオブジェクト間の複数の関係条件の定義を記録し、かつグラフィカルリンク表現の集合を定義するために該複数の関係条件の各々への各グラフィカルリンク表現の割当てを記録するためのコア論理と、
該シミュレーション・モデルの該第１のオブジェクトと該第２のオブジェクトとの間の該関係条件を表すために、ユーザによる選択のために表示装置上のグラフィカルリンク表現の該集合を該表示装置上に提示する表示論理と
を含む、論理。